(57)【要約】      （修正有）【課題】複数の髪飾りを簡単に取付け取り外しできるヘアバンドを提供する。【解決手段】ゴム紐類からなる弾性芯材に筒状カバー１３を装着した伸縮性のあるヘアバンド本体１１を備え、該ヘアバンド本体の適所に、複数の小さい弾性リング１４を所定間隔で外向きに取り付けるとともに、前記ヘアバンド本体の弾性リングとは反対側には所定の幅で滑り止め部材１７を取り付ける。また、前記弾性リングは、その外周に多数のビーズ１５を取り付けても良く、かつ前記滑り止め部材１７は、ヘアバンド本体の外周にゴム紐をらせん状に巻き付けて形成しても良い。【選択図】図１
0003175337.tif 000002
【実用新案登録請求の範囲】
【請求項１】
ゴム紐類からなる弾性芯材に筒状カバーを装着した伸縮性のあるヘアバンド本体を備え、該ヘアバンド本体の適所に、複数の小さい弾性リングを所定間隔で外向きに取り付けるとともに、前記ヘアバンド本体の弾性リングとは反対側には所定の幅で滑り止め部材を取り付けたことを特徴とするヘアバンド。
【請求項２】
前記弾性リングは、その外周に多数のビーズを取り付けてあることを特徴とする請求項１記載のヘアバンド。
【請求項３】
前記滑り止め部材は、ヘアバンド本体の外周にゴム紐がらせん状に巻き付けてあることを特徴とする請求項１または２記載のヘアバンド。
【考案の詳細な説明】
【技術分野】
【０００１】
この考案は、髪に種々の飾りを簡単に取り付け取り外しできるようにしたヘアバンドに関するものである。
【背景技術】
【０００２】
従来のヘアバンドとして複数のリング部を備えたものとしては、以下のような先行例が存在する。
１）登録実用新案第３２９２９号公報（特許文献１参照）には、プラスチック製のリングに複数の内向きのプラスチック製のループ状部材を連結し、かつ前記リングの径を可変とした束髪押えが開示されている。
２）特開２００７−１０５４１４（特許文献２参照）には、従来型の伸縮性のあるヘアバンドを長くした物を作成し、平均的頭囲サイズに区切って縫うことによって輪を二つ設けたヘアバンドが示されている。
【先行技術文献】
【特許文献】
【０００３】
【特許文献１】登録実用新案第３２９２９号公報
【特許文献２】特開２００７−１０５４１４号公報
【考案の開示】
【考案が解決しようとする課題】
【０００４】
上記従来のヘアバンドには下記のような問題点があった。
１）登録実用新案第３２９２９号公報（特許文献１参照）に記載のものは、いずれもプラスチック製のリングおよびループ部材を用いており、髪へのスムーズな装着に難があり、また種々の太さに束ねた束髪に迅速に対応することが難しいという問題があった。
２）特開２００７−１０５４１４（特許文献２参照）に記載のものは、平均的頭囲サイズの輪を従来のヘアバンドと同様に装着し、他の輪を後頭部に位置させて後ろの髪をまとめられるようにしたものであるが、束髪のために使用する場合の自由度が少ないという問題があった。
いずれにしても、複数の髪飾りを簡単に取付け取り外しできるヘアバンドというものは存在しなかったのである。
この考案は、この課題を解決するためになされたものであり、複数の髪飾りを簡単に取付け取り外しできるヘアバンドを提供しようとするものである。
【課題を解決するための手段】
【０００５】
すなわちこの考案のヘアバンドは、ゴム紐類からなる弾性芯材に筒状カバーを装着した伸縮性のあるヘアバンド本体を備え、該ヘアバンド本体の適所に、複数の小さい弾性リングを所定間隔で外向きに取り付けるとともに、前記ヘアバンド本体の弾性リングとは反対側には所定の幅で滑り止め部材を取り付けたことを特徴とするものである。
【０００６】
この考案のヘアバンドにおいて、前記弾性リングは、その外周に多数のビーズを取り付けてあることをも特徴とするものである。
【０００７】
この考案のヘアバンドにおいて、前記滑り止め部材は、ヘアバンド本体の外周にゴム紐類がらせん状に巻き付けてあることをも特徴とするものである。
【考案の効果】
【０００８】
この考案のヘアバンドは以上のように構成したことにより、ヘアバンド一本で束髪の保持だけでなく、左右あるいは後ろの髪をまとめて複数の小さい弾性リングに通したり、あるいは複数の小さい弾性リングにリボンや飾り布等を挿通して保持することにより、装飾性の高い髪飾りとしての機能を付与することができる。
また、複数の小さい弾性リングにリボン等を挿通してヘアバンド本体に大きな負荷がかかっても、弾性リングとは反対側に所定の幅で滑り止め部材を取り付けたことにより、リボン等が回ってずれてしまう等の問題を生じることがない。
【図面の簡単な説明】
【０００９】
【図１】この考案のヘアバンドの１実施例を示す概略図である。
【図２】その概略断面図である。
【図３】この考案のヘアバンドの他の実施例を示す概略図である。
【図４】その概略断面図である。
【図５】ヘアバンド本体の概略断面図である。
【図６】小さい弾性リングの第１の取付状態を示す概略断面図である。
【図７】小さい弾性リングの第２の取付状態を示す概略断面図である。
【図８】ヘアバンド本体に滑り止め部材を装着した状態の概略断面図である。
【図９】小さい弾性リングの第３の取付状態を示す斜視図である。
【図１０】その概略断面図である。
【図１１】この考案のヘアバンドの使用例を示す概略図である。
【図１２】この考案のヘアバンドの他の使用例を示す概略図である。
【考案を実施するための形態】
【００１０】
以下この考案のヘアバンドの実施の形態を図面に基いて詳細に説明する。
この考案の１実施例を示す図１および図２において、ヘアバンド１０はゴム紐類からなる弾性芯材１２に筒状カバー１３を装着した伸縮性のあるヘアバンド本体１１を備え、該ヘアバンド本体１１の適所に、複数の小さい弾性リング１４を所定間隔で外向きに取り付けたものである。前記ヘアバンド本体１１に取り付けた後の弾性リング１４の両端部は、接着、融着、フック状等の適宜の連結手段で連結し、リング状とすることができる。
前記ヘアバンド本体１１は図５に示すように、ゴム紐類からなる弾性芯材１２に筒状カバー１３を装着した構造からなり、髪にやさしくかつ筒状カバー１３が滑りやすさを持っているので髪への取付取り外しが簡単であるというメリットがある。
なお、前記ヘアバンド本体１１への弾性リング１４の取付に際しては、図６に示すように糸類等を用いて前記弾性リング１４を前記ヘアバンド本体１１の適所に結着することが望ましい。
【００１１】
また、この考案の他の実施例を示す図３および図４において、ヘアバンド２０を構成するヘアバンド本体２１は、前記と同様にゴム紐類からなる弾性芯材２２に筒状カバー２３を装着した伸縮性のある素材からなっている。
そしてこの実施例においては、前記ヘアバンド本体２１の適所に、複数の小さい弾性リング２４を前記筒状カバー２３に刺し通すようにして所定間隔で外向きに取り付けたものである。前記筒状カバー２３に挿通した後の弾性リング２４の両端部は、接着、融着、フック状等の適宜の連結手段で連結し、リング状とすることができる。
【００１２】
もちろん、前記ヘアバンド本体１１、２１への弾性リング１４，２４の取付けに際しては、図６および図７に示す以外の手段、例えば接着剤等で取り付ける等の手段を採用することもできる。
前記弾性リング１４、２４には、貫通孔を開けた多数のビーズ１５、２５が取り付けてあるので、この弾性リング１４，２４のリング内にリボン類や飾り布等を挿通しようとすると、このビーズ１５、２５が空回りして抵抗がなく、スムーズに挿通することができる。もちろん、前記リボン類は結んで外れないようにしておくことが望ましい。
【００１３】
また、前記ヘアバンド本体１１の弾性リング１４と反対の側には、所定の幅で滑り止め部材１７が取り付けてある。
該滑り止め部材１７としてはゴム紐類が望ましく、図８のように前記ヘアバンド本体１１の外周にゴム紐類からなる滑り止め部材１７をらせん状に巻き付けてある。この滑り止め部材１７は糸等を用いて前記ヘアバンド本体１１に結束したり、接着剤等で貼付することができる。
【００１４】
図９および図１０は、前記ヘアバンド本体への弾性リングの他の取付手段を示すものである。
すなわち、ヘアバンド３０を構成するヘアバンド本体３１の筒状カバー３３表面へ、ビーズ３５を介さないで弾性リング３４を接着剤を用いて接着し、念のために強力な粘着テープ３６を貼付して外れないようにしてある。３７は滑り止め部材である。
このようにすれば、極めて簡単に前記ヘアバンド本体３１へ弾性リング３４を取り付けることができる。
【００１５】
この考案のヘアバンドは以上のように構成したことにより、図１１に示すように、束髪４１にヘアバンド本体１１，２１、３１を二重に巻いて取り付けることができる、こうすることによって、束髪４１の周囲に適宜間隔の弾性リング１４，２４，３４を配置することができる。
もちろん、ヘアバンド一本で束髪の保持だけでなく、左右あるいは後ろの髪をまとめて複数の小さい弾性リング１４、２４，３４に通してもよい。
また、図１２に示すように、複数の小さい弾性リング１４、２４、３４にリボン類１６や飾り布等を一貫して挿通し、結んで保持したりすることにより、装飾性の高い髪飾りとしての機能を付与することができる。
例えば、図１および図２において、使用中にヘアバンド本体１１に大きな負荷がかかっても、弾性リング１４とは反対側に所定の幅で滑り止め部材１７を取り付けてあるので、リボン類１６が回ってずれてしまう等の問題を生じることがない。
【００１６】
以上のように、この考案のヘアバンドは束髪に簡単に取付け取り外しでき、また該束髪の周囲に弾性リングを適宜間隔で配置することができるばかりか、リボン等も簡単に装着可能であり、頭髪の装飾性を飛躍的に向上させることができるようになった。
【産業上の利用可能性】
【００１７】
この考案のヘアバンドによれば、人の頭髪のみならずペットその他の髪にも好適に装飾性を付与することができる。
また、この考案のヘアバンドは、前記頭髪に向けた用途だけでなく、腕輪や足環としても利用することができる。
【符号の説明】
【００１８】
１０  ヘアバンド
１１  ヘアバンド本体
１２  弾性芯材
１３  筒状カバー
１４  弾性リング
１５  ビーズ
１６  リボン類
１７  滑り止め部材
２０  ヘアバンド
２１  ヘアバンド本体
２２  弾性芯材
２３  筒状カバー
２４  弾性リング
３０  ヘアバンド
３１  ヘアバンド本体
３３  筒状カバー
３４  弾性リング
３５  ビーズ
３６  粘着テープ
３７  滑り止め部材
【図１】
0003175337.tif 000003
【図２】
0003175337.tif 000004
【図３】
0003175337.tif 000005
【図４】
0003175337.tif 000006
【図５】
0003175337.tif 000007
【図６】
0003175337.tif 000008
【図７】
0003175337.tif 000009
【図８】
0003175337.tif 000010
【図９】
0003175337.tif 000011
【図１０】
0003175337.tif 000012
【図１１】
0003175337.tif 000013
【図１２】
0003175337.tif 000014